(57)【要約】【課題】渦電流を低減するために分割した磁石接合部の反発を抑えることのできる永久磁石形回転電機を提供することを目的とする。【解決手段】回転子鉄心３０に永久磁石１０を埋め込む構造の永久磁石形回転電機において、前記永久磁石１０は、渦電流を低減するために分割された磁石１０ａ，１０ｂからなり、これらの磁石１０ａ，１０ｂは絶縁コーティングした磁性体板４０を挟んで接合されるので、磁性体板４０が両方の磁石１０ａ，１０ｂとそれぞれ磁気的に吸引されるため、接合部の反発を抑え、磁石１０ａ，１０ｂが剥がれなくする効果がある共に磁性体板４０が絶縁コーティングされているため、磁石１０ａ，１０ｂ間における渦電流が低減される。【選択図】図１
2008017671.tif 000002
【特許請求の範囲】
【請求項１】
回転子鉄心に永久磁石を埋め込む構造の永久磁石形回転電機において、前記永久磁石は、渦電流を低減するために分割され、且つ、絶縁コーティングした磁性体板を挟んで接合されることを特徴とする永久磁石形回転電機。
【請求項２】
回転子鉄心の表面に永久磁石を貼り付ける構造の永久磁石形回転電機において、前記永久磁石は、渦電流を低減するために分割され、且つ、絶縁コーティングした磁性体板を挟んで接合されることを特徴とする永久磁石形回転電機。
【発明の詳細な説明】
【技術分野】
【０００１】
本発明は、永久磁石を備えた永久磁石形回転電機に関するものである。特に、永久磁石の渦電流を低減しうる構造に関する。
【背景技術】
【０００２】
従来から、引用文献１に記載されるように、鉄などの高透磁率材からなる回転子鉄心に永久磁石を埋め込む構造のモータ（Interior Permanent Magnet ： IPM）においては、渦電流対策として磁石を軸方向に分割し、その間に絶縁層を挟み、回転子鉄心に埋め込んでいる。
【０００３】
例えば、図３に示すように、分割された磁石１０ａ，１０ｂの間に絶縁紙２０を挟み接着している。
更に、引用文献２に示すように、２極永久磁石回転電機においては、渦電流損を低減するため、回転子鉄心に埋め込まれる永久磁石を周方向に分割している。
【特許文献１】特開２０００−３２４７３６
【特許文献２】特開２００２−２３１２０１
【特許文献３】特開２００２−１３６００６
【発明の開示】
【発明が解決しようとする課題】
【０００４】
しかしながら、埋め込み型磁石型モータでは、図３のように、磁石１０ａ，１０ｂのＮ極、Ｓ極の同極が相互に向かい合うため、磁石１０ａ，１０ｂ同士の反発力が絶縁紙２０を間に挟んで作用し、そのため、モータの回転子鉄心に挿入する前に磁石１０ａ，１０ｂが剥がれる不具合がある。
【０００５】
また、回転子鉄心の表面に永久磁石を貼り付ける表面磁石貼り付け型モータ（Surface Permanent Magnet： SPM）においても、渦電流対策として磁石を分割すると、同様に磁石の反発力により、磁石の飛び出しが有り、うまく磁石が貼れない場合がある。
なお、特許文献３に示すように、素鋼板を多数枚積層してなる回転子鉄心又は固定子鉄心の鉄心積み代（軸方向長さ）よりも短い永久磁石を複数個用いる埋め込み型磁石型モータにおいては、回転子鉄心に埋め込まれる複数の磁石間にマグネットスペーサを挿入することにより、磁石間に吸引力を作用させるものが知られている。
【０００６】
本発明は、上記従来技術に鑑みてなされたものであり、渦電流を低減するために分割した磁石接合部の反発を抑えることのできる永久磁石形回転電機を提供することを目的とする。
【課題を解決するための手段】
【０００７】
上記課題を解決する本発明の請求項１に係る永久磁石形回転電機は、回転子鉄心に永久磁石を埋め込む構造の永久磁石形回転電機において、前記永久磁石は、渦電流を低減するために分割され、且つ、絶縁コーティングした磁性体板を挟んで接合されることを特徴とする。
【０００８】
上記課題を解決する本発明の請求項２に係る永久磁石形回転電機は、回転子鉄心の表面に永久磁石を貼り付ける構造の永久磁石形回転電機において、前記永久磁石は、渦電流を低減するために分割され、且つ、絶縁コーティングした磁性体板を挟んで接合されることを特徴とする。
【発明の効果】
【０００９】
本発明の請求項１に係る永久磁石形回転電機は、回転子鉄心に永久磁石を埋め込む構造の永久磁石形回転電機において、渦電流対策の為に分割される磁石の接合部に挟み込まれる磁性体板が両方の磁石とそれぞれ磁気的に吸引されるため、接合部の反発を抑え、磁石が剥がれなくする効果がある。また、磁性体板が絶縁コーティングされているため、磁石間における渦電流が低減される。
【００１０】
本発明の請求項２に係る永久磁石形回転電機は、回転子鉄心の表面に永久磁石を貼り付ける構造の永久磁石形回転電機において、渦電流対策の為に分割される磁石の接合部に挟み込まれる磁性体板が両方の磁石とそれぞれ磁気的に吸引されるため、接合部の反発を抑え、磁石の飛び出しを防止する効果がある。また、磁性体板が絶縁コーティングされているため、磁石間における渦電流が低減される。
【発明を実施するための最良の形態】
【００１１】
以下に、実施例１，２として説明する形態が本発明を実施する為の最良の形態である。
【実施例１】
【００１２】
本発明の第１の実施例に係る永久磁石形回転電機を図１に示す。本実施例は、埋め込み磁石型モータ（ＩＰＭ）に関するものである。
即ち、図１（ａ）に示すように、回転子鉄心３０には軸方向に沿って４箇所に磁石１０が埋め込まれると共にこれらの磁石１０は渦電流対策の為に軸方向に２分割された磁石１０ａ，１０ｂであり、それら磁石１０ａ，１０ｂの間に、磁性体板４０が挟み込まれて接着されている。
【００１３】
磁性体板３０は、両側の磁石１０ａ，１０ｂと各々磁気的な吸引力が作用する為、両側の磁石１０ａ，１０ｂの反発を抑えることが可能となる。
磁性体板４０の断面は、磁石１０ａ，１０ｂと等しく矩形状であり、その厚さは約１〜３ｍｍである。
磁性体板４０の表面には絶縁材（図示省略）がコーティングしてある為、磁石１０ａ，１０ｂ間において渦電流が遮断されることになる。
製造方法について説明すれば、図１（ｂ）に示すように、絶縁コーティングした磁性体板４０を間に挟んで磁石１０ａ，１０ｂを接着した後、図１（ａ）に示すように、回転子鉄心３０に挿入することにより完成させる。
【００１４】
このように説明したように、本実施例に係る埋め込み磁石型モータは、渦電流対策の為に分割した磁石１０ａ，１０ｂの間に、厚さ１〜３ｍｍ程度の絶縁コーティングした磁性体板４０を挟んで接着した後に、磁石１０ａ，１０ｂ及び磁性体板４０を回転子鉄心３０内に挿入したものである。
従って、磁性体板４０に形成された絶縁コーティングにより、磁石１０ａ，１０ｂ間の渦電流を低減させることが可能となる他、磁性体板３０が両側の磁石１０ａ，１０ｂと各々磁気的に吸引される為、両側の磁石１０ａ，１０ｂの反発を抑えることが可能となり、磁石１０ａ，１０ｂが剥がれなくする効果がある。
【００１５】
なお、上述した実施例においては、磁石１０ａ，１０ｂは渦電流対策の為に軸方向に２分割されたものであったが、周方向に分割されたものであっても、同様に絶縁コーティングした磁性体板を挟むことにより同様な効果を奏するものである。
【実施例２】
【００１６】
本発明の第２の実施例に係る永久磁石形回転電機を図２に示す。本実施例は、表面磁石貼り付け型モータ（ＳＰＭ）に関するものである。
即ち、図２に示すように、渦電流対策の為に回転子鉄心７０の軸方向中央部には円周方向に沿って突出する環状の磁性体板６０が形成されると共にこの磁性体板６０を間に挟んで回転子鉄心７０の表面には多数の磁石５０ａ，５０ｂが貼り付けられている。
【００１７】
磁性体板６０は、磁石５０ａ，５０ｂと各々磁気的な吸引力が作用する為、両側の磁石５０ａ，５０ｂの反発を抑えることが可能となる。磁性体板６０の厚さは約１〜３ｍｍである。
磁性体板６０の表面には絶縁材（図示省略）がコーティングしてある為、磁石５０ａ，５０ｂ間において渦電流が遮断されることになる。
このように説明したように、本実施例に係る表面磁石貼り付け型モータは、渦電流対策の為に分割した磁石５０ａ，５０ｂの間に、厚さ１〜３ｍｍ程度の絶縁コーティングした磁性体板６０を挟んで回転子鉄心７０の表面に貼り付けたものである。
【００１８】
従って、磁性体板６０に形成された絶縁コーティングにより、磁石５０ａ，５０ｂ間の渦電流を低減させることが可能となる他、磁性体板６０が両側の磁石５０ａ，５０ｂと各々磁気的に吸引される為、両側の磁石５０ａ，５０ｂの反発を抑えることが可能となり、磁石５０ａ，５０ｂの飛び出しを防止する効果がある。
【産業上の利用可能性】
【００１９】
本発明は、永久磁石を備えた永久磁石形回転電機に関し、埋め込み磁石型モータ、表面磁石貼り付け型モータの何れにも適用可能なものである。
【図面の簡単な説明】
【００２０】
【図１】図１（ａ）は本発明の第１の実施例に係る埋め込み磁石型モータ（ＩＰＭ）の斜視図、図１（ｂ）は、渦電流対策の為に分割した磁石の間に絶縁コーティングした磁性体板を挟んで接着する様子を示す説明図である。
【図２】本発明の第２の実施例に係る表面磁石貼り付け型モータ（ＳＰＭ）の斜視図である。
【図３】従来技術に係る渦電流対策の為に分割した磁石の間に絶縁紙を挟んで接着する様子を示す説明図である。
【符号の説明】
【００２１】
１０ａ，１０ｂ，５０ａ，５０ｂ  磁石
２０  絶縁紙
３０，７０  回転子鉄心
４０，６０  磁性体板（絶縁コーティング）
【図１】
2008017671.tif 000003
【図２】
2008017671.tif 000004
【図３】
2008017671.tif 000005